(57)【要約】
【課題】  上段の棚と下段の棚との間隔を狭くしても、靴の出し入れを容易に行える靴収
納箱を提供すること。
【解決手段】  棚１１の後部両側端部に形成したフック１６，１６を、側板３，３の後部
内面に植設したピン１０に回動自在に支持するとともに、前記側板３，３の前部内面にピ
ン１０を植設し、該ピン１０に、前記棚１１の前部を載置させて支持させたことを特徴と
している。
【選択図】        図１
0003101161.tif 000002
【実用新案登録請求の範囲】
【請求項１】
棚の後部両側端部を、側板に対して回動自在に側板の後部内面に支持するとともに、前
記側板の前部内面に前部支持部材を設け、該前部支持部材に、前記棚の前部を載置させて
支持させたことを特徴とする、靴収納箱。
【請求項２】
前記側板の後部内面に後部支持部材或いは凹部を設けるとともに、棚の後部両端側部に
前記側板の後部支持部材が嵌合する凹部或いは前記側板の凹部に嵌合する後部支持部材を
設け、前記凹部に前記後部支持部材を嵌合させるようにしたことを特徴とする、請求項１
に記載の靴収納箱。
【請求項３】
前記前部支持部材および後部支持部材を植設するための孔を、前記側板の内面上下方向
に適宜な間隔をもって複数個配置したことを特徴とする、請求項１または２に記載の靴収
納箱。
【請求項４】
前記棚を、少なくとも、両側部に前後方向に延設させた側部線材と、該側部線材間を連
結する横方向線材とによって構成するとともに、前記側部線材の後端部をＵ字状に曲折さ
せ、該Ｕ字状に曲折させた後端部を前記後部支持部材に嵌合させるようにしたことを特徴
とする、請求項２〜３のいずれかに記載の靴収納箱。
【請求項５】
前記棚を、両側部に前後方向に延設させた側部線材と、前部左右方向に延設させた前部
線材と、後部左右方向に延設させた後部線材と、前後方向中間に左右方向に延設させた横
方向線材とによって構成するとともに、前記側部線材の後端部をＵ字状に曲折させ、かつ
側部線材の前部を上方に向けて曲折させ、前記Ｕ字状に曲折させた後端部を前記後部支持
部材に嵌合させるようにしたことを特徴とする、請求項２〜３のいずれかに記載の靴収納
箱。
【請求項６】
箱本体を底板，両側板，天井板とによって正面視矩形に形成し、該箱本体の後部開口の
対角線上にワイヤーを張設し、該箱本体の前部開口に扉を開閉自在に設けたことを特徴と
する、請求項１〜５のいずれかに記載の靴収納箱。
【請求項７】
前記底板，両側板，天井板，ワイヤーおよび扉を、分解可能に組付けたことを特徴とす
る、請求項６に記載の靴収納箱。
【請求項８】
側板の上端を天板よりも上方へ延設するとともに、天板の後端に背板を配設したことを
特徴とする、請求項６または７に記載の靴収納箱。
【考案の詳細な説明】
【技術分野】
【０００１】
本考案は、靴収納箱に関するもので、特に靴の出し入れが容易な靴収納箱に関するもの
である。
【背景技術】
【０００２】
側板の前部内面および後部内面に、各々上下方向に複数のピンを植設し、それらのピン
に棚を係合させて棚を側板に支持させるとともに、ワイヤを格子状に組んで棚を構成した
靴収納箱はある（例えば、特許文献１）。
【０００３】
【特許文献１】実用新案登録第２５４５１３８号公報（図１〜図３参照）
【考案の開示】
【考案が解決しようとする課題】
【０００４】
しかしながら、上記特許文献１に開示されている靴収納箱では、棚の側部前端および後
端にワイヤーを折り曲げて形成したフックを形成し、それらのフックを側板に植設したピ
ン（ダボ）に嵌合させることによって棚を側板に保持させている。
したがって、特許文献１に開示されている靴収納箱では、ピンを選択することによって
、上段の棚と下段の棚との間隔を適宜に設定できるものの、間隔をあまり狭くすると、靴
の出し入れがスムースに行えない虞がある。
【０００５】
本考案は、上記実情に鑑みて、上段の棚と下段の棚との間隔を狭くしても、靴の出し入
れを容易に行い得る靴収納箱を提供することを目的とする。
【課題を解決するための手段】
【０００６】
上記した課題を解決するため、請求項１の靴収納箱では、棚の後部両側端部を、側板に
対して回動自在に側板の後部内面に支持するとともに、前記側板の前部内面に前部支持部
材を設け、該前部支持部材に、前記棚の前部を載置させて支持させたことを特徴としてい
る。
【０００７】
また、請求項２の靴収納箱では、上記請求項１の考案において、前記側板の後部内面に
後部支持部材或いは凹部を設けるとともに、棚の後部両端側部に前記側板の後部支持部材
が嵌合する凹部或いは前記側板の凹部に嵌合する後部支持部材を設け、前記凹部に前記後
部支持部材を嵌合させるようにしたことを特徴としている。
【０００８】
また、請求項３の靴収納箱では、上記請求項１または２の考案において、前記前部支持
部材および後部支持部材を植設するための孔を、前記側板の内面上下方向に適宜な間隔を
もって複数個配置したことを特徴としている。
【０００９】
また、請求項４の靴収納箱では、上記請求項１〜３のいずれかの考案において、前記棚
を、少なくとも、両側部に前後方向に延設させた側部線材と、該側部線材間を連結する横
方向線材とによって構成するとともに、前記側部線材の後端部をＵ字状に曲折させ、該Ｕ
字状に曲折させた後端部を前記後部支持部材に嵌合させるようにしたことを特徴としてい
る。
【００１０】
また、請求項５の靴収納箱では、上記請求項１〜３のいずれかの考案において、前記棚
を、両側部に前後方向に延設させた側部線材と、前部左右方向に延設させた前部線材と、
後部左右方向に延設させた後部線材と、前後方向中間に左右方向に延設させた横方向線材
とによって構成するとともに、側部線材の後端部をＵ字状に曲折させ、かつ側部線材の前
部を上方に向けて曲折させ、前記Ｕ字状に曲折させた後端部を前記後部支持部材に嵌合さ
せるようにしたことを特徴としている。
【００１１】
また、請求項６の靴収納箱では、上記請求項１〜５のいずれかの考案において、箱本体
を底板，両側板，天井板とによって正面視矩形に形成し、該箱本体の後部開口の対角線上
にワイヤーを張設し、該箱本体の前部開口に扉を開閉自在に取り付けたことを特徴としている。
【００１２】
また、請求項７の靴収納箱では、上記請求項６の考案において、前記底板，両側板，天
井板，ワイヤーおよび扉を、分解可能に組付けたことを特徴としている。
【００１３】
さらに、請求項８の靴収納箱では、上記請求項６または７の考案において、側板の上端
を天板よりも上方へ延設するとともに、天板の後端に背板を配設したことを特徴としてい
る。
【考案の効果】
【００１４】
上記請求項１の靴収納箱によれば、上の棚の前端を上方に持ち上げることによって、下
の棚との間隔を広げることができるので、下の棚への靴の出し入れが容易になる。
【００１５】
また、上記請求項２の靴収納箱によれば、上記した効果に加え、側板に設けた後部支持
部材を棚の後部両端側部に形成した凹部に嵌合させる、或いは側板に設けた凹部に棚の後
部両端側部に形成した後部支持部材を嵌合させるだけで棚を側板に回動自在に支持するこ
とができるので、棚の取り付け、および取り外しが容易である。
【００１６】
また、上記請求項３の靴収納箱によれば、上記した効果に加え、適宜高さの位置の孔に
支持部材を植設することによって、棚と棚との間隔を適宜に設定できるので、高さの異な
る靴に容易に対応させることができる。
【００１７】
また、上記請求項４の靴収納箱によれば、上記した効果に加え、棚の凹部の形成が容易
であるとともに、棚が線材によって構成されているので、棚が軽量になり、かつ靴底の乾
燥ができる。
【００１８】
また、上記請求項５の靴収納箱によれば、上記した効果に加え、棚上に載置した靴を安
定して保持できるとともに、靴が滑り落ちるのを防止することができる。
【００１９】
また、上記請求項６の靴収納箱によれば、上記した効果に加え、背板がないので、軽量
化が図れる。
【００２０】
また、上記請求項７の靴収納箱によれば、上記した効果に加え、各要素が分解できるの
で、運搬が容易となる。
【００２１】
また、上記請求項８の靴収納箱によれば、上記した効果に加え、天板の上面に、安定し
て物を載せることができる。
【考案を実施するための最良の形態】
【００２２】
以下に、上記した本考案に係る靴収納箱の実施の形態を、図面を参照しながら詳細に説
明する。
ここで、図１は本考案に係る靴収納箱の一実施の形態を概念的に示した斜視図，図２は
要部を示した分解斜視図，図３は棚を側板に取付けた状態を示した要部斜視図，図４は図
１における靴収納箱の縦断面図である。
【００２３】
図１に示した靴収納箱では、箱本体１が、底板２、両側板３，３、天板４（いずれも二
点鎖線で作図）とによって正面視において矩形状に形成されており、箱本体１の後部開口
の対角線上に、ワイヤー５，５を張設して補強し、箱本体１の前部開口に、扉６，６（二
点鎖線で作図）が開閉自在に取付けられている。そして、上記底板２、側板３，３、天板
４、ワイヤー５，５および扉６，６は、ネジ等によって分解可能に組付けられている。
【００２４】
さらに、この靴収納箱１では、側板３，３が天板４よりも上方に延設され、天板４の後
端に背板６（二点鎖線で作図）を配設することによって、天板４の上面に、安定して物を
載せることができる棚を構成している。
【００２５】
上記両側板３，３の内面には、図２に示したように、その前部および後部に、各々上下
方向に適宜な間隔をもって多数の雌ねじ孔８，９が形成されている。
一方、この靴収納箱１は、棚の支持部材としてピン１０を備えている。ピン１０は、円
柱状を成す主部１０ａと、該主部１０ａの一端に形成した雄ねじ部１０ｂによって構成さ
れている。
【００２６】
また、この靴収納箱１の棚１１は、ワイヤー１２をコ字形状に折曲することによって、
両側部１２ａ，１２ａおよび前端部１２ｂを形成し、ワイヤー１３を、ワイヤー１２の両
側部１２ａ，１２ａの後端に差し渡し、それらが交差する部分を溶着するとともに、ワイ
ヤー１２の両側部１２ａ，１２ａの中間部に３本のワイヤー１４，１４，１４を平行に差
し渡し、ワイヤー１２の前端部１２ｂの中間，ワイヤー１３の中間、および３本のワイヤ
ー１４の中間にワイヤー１５を差し渡し、それらの交差する部分を溶着することによって
格子状に構成されている。
【００２７】
そして、上記棚１１では、ワイヤー１２の両側部１２ａ，１２ａの後端部が下方にＵ字
状に折り曲げられ、そこにフック１６，１６が形成され、また、ワイヤー１２の両側部１
２ａ，１２ａの前部が上方に向けて折り曲げられている。
【００２８】
このように構成された靴収納箱１では、図２に示したように、側板３，３の雌ねじ孔８
，９を選択して、そこにピン１０の雄ねじ部１０ｂを螺合させてピン１０を側板３に植設
する。そして、図３に示したように、上記側板３，３の後部に植設したピン１０，１０に
棚１１のフック１６，１６を嵌合させるとともに、側板３，３の前部に植設したピン１０
，１０に棚１１の側部１２ａ，１２ａの前部を載置させることによって、棚１１を側板３
，３に取付ける。このようにして、複数の棚１１，１１を、靴の高さに応じた適宜間隔で
側板３，３に取付ける。
【００２９】
上記した本考案に係る靴収納箱１では、棚１１の前端部１２ｂを摘んで上方に力を加え
ると、棚１１は、図４に示したように、後部のピン１０を中心にして上方に回動させるこ
とができる。したがって、棚１１に格納した靴を取り出す場合には、上段の棚１１の前端
部１２ｂを持ち上げて、上段の棚１１との間隔を広げることができ、靴を容易に取出すこ
とができる。逆に、靴を入れる場合も、同様に上段の棚１１との間隔を広げることによっ
て、靴を容易に入れることができる。
【００３０】
また、この靴収納箱１では、前部のピン１０の植設位置を適宜に選択することによって
、棚１１の傾斜角度を適宜に設定できる。したがって、例えば、ブーツ等の高い靴を収納
する場合には、棚１１の傾斜を大きくし、靴の上部を上段の棚１１の前部に当たらないよ
うに逃がすことによって、上段の棚１１との間隔を小さく抑えることができる。
【００３１】
なお、上記実施の形態では、ピン１０を側板３に螺合させることによって植設させてい
るが、ピンの端部を側板に形成した孔に単に差し込むことによって、ピン１０を側板３に
植設させてもよい。
また、ピン１０の形状は何ら上記実施の形態のものに限定されず、棚１１を支持し得る
ものであれば、その形状は何ら問わない。また、棚１１の形状も、靴を安定的に載置し得
るものであれば、その形状は何ら問わない。
【図面の簡単な説明】
【００３２】
【図１】本考案に係る靴収納箱の一実施の形態を概念的に示した斜視図である。
【図２】要部を示した分解斜視図である。
【図３】棚を側板に取付けた状態を示した要部斜視図である。
【図４】図１における靴収納箱の縦断面図である。
【符号の説明】
【００３３】
１      箱本体
２      底板
３      側板
４      天板
５      ワイヤー
６      背板
７      扉
８，９  雌ねじ孔
１０    ピン（支持部材）
１０ａ  主部
１０ｂ  雄ねじ部
１１    棚
１２    ワイヤー（線材）
１２ａ  側部
１２ｂ  前端部
１３，１４，１５  ワイヤー（線材）
１６    フック（凹部）
【図１】
0003101161.tif 000003
【図２】
0003101161.tif 000004
【図３】
0003101161.tif 000005
【図４】
0003101161.tif 000006